(57)【要約】  【目的】大気圧を正確に安定して計測するとともにスロットルボデーの全高を低くし、製造コストを低減する。  【構成】圧力ポートを備える圧力ケース３がスロットルボデー１の側方に一体形成され、圧力ケース３の上方開口部３ａに、センサハウジング６の下方開口部６ａが嵌合されて圧力センサＰがスロットルボデー１と一体形成される。圧力ケース３には圧力ポート４の外周を囲繞するポート保護ケース５が配置され、このポート保護ケース５はスロットルボデー１と一体形成される。【選択図】図１
2006112946.tif 000002
【特許請求の範囲】
【請求項１】
内部にセンサチップが収納配置されるとともにセンサチップに接続されるターミナルが外側方に向かって開口するカプラ内に突出配置されるセンサハウジングと、
圧力ポートを備え、センサハウジングの下方開口を密閉的に閉塞する圧力ケースと、
により形成される圧力センサが、内部に吸気通路が貫通して穿設されたスロットルボデーに取着される圧力センサにおいて、
前記圧力ポートを備える圧力ケース３がスロットルボデー１の側方に一体形成されるとともに圧力ケース３の上方開口部３ａに、センサハウジング６の下方開口部６ａが嵌合配置されて圧力センサＰがスロットルボデー１と一体形成され、
更に圧力ケース３には、圧力ポート４の外周を囲繞するポート保護ケース５をスロットルボデー１と一体形成したことを特徴とする圧力センサを備えるスロットルボデー。
【請求項２】
前記圧力ケースの上端３ａ１を、スロットルボデー１の上側壁１ｂより下方位置に配置したことを特徴とする請求項１記載の圧力センサを備えるスロットルボデー。
【請求項３】
内部にセンサチップが収納配置されるとともにセンサチップに接続されるターミナルが外側方に向かって開口するカプラ内に突出配置されるセンサハウジングと、
圧力ポートを備え、センサハウジングの下方開口を密閉的に閉塞する圧力ケースと、
により形成される圧力センサが、隣設する吸気通路を備える複数のスロットルボデー間に取着される圧力センサにおいて、
前記圧力ポートを備える圧力ケース１３が隣設するスロットルボデー１１ａ、１１ｂの対向側面１１ｃ、１１ｄに一体形成されるとともに圧力ケース１３の上方開口部１３ａに、センサハウジング６の下方開口部６ａが嵌合配置されて圧力センサＰがスロットルボデーと一体形成され、
更に圧力ケース１３には、圧力ポート１４の外周を囲繞するポート保護ケース５を隣設するスロットルボデー１１ａ、１１ｂの対向側面１１ｃ、１１ｄに一体形成したことを特徴とする圧力センサを備えるスロットルボデー。
【請求項４】
前記ポート保護ケースに囲繞される圧力ポートの下端開口１４ａを、ポート保護ケース５の下端５ａより上方位置に開口したことを特徴とする請求項１及び３記載の圧力センサを備えるスロットルボデー。
【発明の詳細な説明】
【技術分野】
【０００１】
本発明は、圧力変化を電圧変化に置き換えて検出する圧力センサに関し、そのうち大気圧の変化を検出する圧力センサに関し、かかる圧力センサは燃料噴射装置において、シリンダに充てんされる空気質量の演算、大気圧変化に基づく空気密度の変化に対する空燃比の補正等のセンサとして用いられる。
【背景技術】
【０００２】
かかる圧力センサは、特開２００１−１５３７４８号に示される。
これによると、ハウジング９内に端子８に連なるリード４が配置され、このリード４上にセンサチップ１が接合され、ハウジング９の上方開口上にカバー１４が接着配置されて、ハウジング９が密閉される。
そして、ハウジング９に穿設される圧力導入孔１０よりセンサチップ１に圧力が作用する。すると、センサチップ１の表面にあるダイヤフラム２１がたわみ、固定電極２４との間の間隔が変化し、この間隔の変化により、両者間の静電容量が変化するもので、この静電容量の変化が電気信号として出力される。
そして、かかる圧力センサはハウジング９に形成されたネジ孔１６を介して各種装置に組付けられる。
尚、上記符号は同明細書中に記載されたものを使用した。
【特許文献１】特開２００１−１５３７４８号公報
【発明の開示】
【発明が解決しようとする課題】
【０００３】
かかる従来の圧力センサによると、圧力センサは圧力導入孔が形成されたハウジングと、カバーとが用意され、カバーがハウジングの上方開口に向けて接着される。
以上によると圧力センサは、ハウジングとカバーとの二部材をもって形成されるもので、これによると、特に合成樹脂材料にて形成される圧力センサは２個の金型を必要とするもので製造コストを効果的に低減できない。
又、圧力センサはハウジングに設けたネジ孔を介して各種装置に取着されるもので、例えばスロットルボデーに取着する際、スロットルボデーの全高が高くなる傾向がある。
更には圧力導入孔はハウジングから図において下方に突出して、露出開口配置されるもので、これによると、雨中での使用時において圧力導入孔の開口部に水が侵入し、この水の表面張力によって圧力導入孔の開口部に膜が張る恐れがあり、この膜により正確な大気圧の測定が困難となることがある。
更に又、この圧力導入孔に石等の障害物が衝突する恐れがあり、圧力導入孔の破損につながる。
そして、前記スロットルボデーの全高が高くなること。圧力導入孔の開口部に水が侵入すること。更には圧力導入孔の破損。については、圧力センサを含むスロットルボデーの収納空間が極めて制限を受け、更にはそれらが直接的に車体外へ露出して配置される２輪車、バギー車、汎用機、において問題となるものである。
【０００４】
本発明になる圧力センサを備えるスロットルボデーは、前記不具合を解決することを目的とするもので、大気圧を安定して正確に計測するとともにスロットルボデーの全高を低くし、更に製造コストの低減を達成することのできる、特に二輪車に採用して好適な前記装置を提供することにある。
【課題を解決するための手段】
【０００５】
本発明になる圧力センサを備えるスロットルボデーは前記目的達成の為に、内部にセンサチップが収納配置されるとともにセンサチップに接続されるターミナルが外側方に向かって開口するカプラ内に突出配置されるセンサハウジングと、
圧力ポートを備え、センサハウジングの下方開口を密閉的に閉塞する圧力ケースと、
により形成される圧力センサが、内部に吸気通路が貫通して穿設されたスロットルボデーに取着される圧力センサにおいて、
前記圧力ポートを備える圧力ケースがスロットルボデーの側方に一体形成されるとともに圧力ケースの上方開口部に、センサハウジングの下方開口部が嵌合配置されて圧力センサがスロットルボデーと一体形成され、
更に圧力ケースには、圧力ポートの外周を囲繞するポート保護ケースをスロットルボデーと一体形成したことを第１の特徴とする。
【０００６】
又、本発明は前記第１の特徴に加え、前記圧力ケースの上端を、スロットルボデーの上側壁より下方位置に配置したことを第２の特徴とする。
【０００７】
更に、本発明は、内部にセンサチップが収納配置されるとともにセンサチップに接続されるターミナルが外側方に向かって開口するカプラ内に突出配置されるセンサハウジングと、
圧力ポートを備え、センサハウジングの下方開口を密閉的に閉塞する圧力ケースと、
により形成される圧力センサが、隣設する吸気通路を備える複数のスロットルボデー間に取着される圧力センサにおいて、
前記圧力ポートを備える圧力ケースが隣設するスロットルボデーの対向側面に一体形成されるとともに圧力ケースの上方開口部に、センサハウジングの下方開口部が嵌合配置されて圧力センサがスロットルボデーと一体形成され、
更に圧力ケースには、圧力ポートの外周を囲繞するポート保護ケースを隣設するスロットルボデーの対向側面に一体形成したことを第３の特徴とする。
【０００８】
更に又、本発明は、前記第１及び第３の特徴に加え、前記ポート保護ケースに囲繞される圧力ポートの下端開口を、ポート保護ケースの下端より上方位置に開口したことを第４の特徴とする。
【発明の効果】
【０００９】
本発明の第１の特徴によると、圧力ポートを備える圧力ケースがスロットルボデーの一側方に一体形成され、圧力ケースの上方開口部に、センサチップを備えるセンサハウジングの下方開口部に嵌合配置されることにより、スロットルボデーに圧力センサが一体的に取着配置される。
以上によると、圧力ケースがスロットルボデーと一体形成されたことにより、特別に圧力ケースを作製する為の金型を必要としないので部品点数を削減できて製造コストを低減できる。
又、圧力ケースには、圧力ポートの外周を囲繞するポート保護ケースが配置され、このポート保護ケースはスロットルボデーと一体形成される。
以上によると、圧力ポートに石等の障害物が直接的に衝突することがないので、圧力ポートが破損することがなく、特に圧力ポートが直接的に大気に露出する二輪車に採用するのに好適である。
又、ポート保護ケースによれば、圧力ポートに向かう水、ゴミ等をポート保護ケースによって遮断できるので、圧力ポートの下端開口が水、ゴミ等によって閉塞されることがなく、安定した大気圧力を検出できる。
【００１０】
本発明の第２の特徴によると、圧力ケースの上端が、スロットルボデーの上側壁より下方位置に配置したので、圧力ケース上に配置されるセンサハウジングをスロットルボデーの上側壁に近接して配置でき、これによるとスロットルボデーに取着される圧力センサの全高を低くすることができ、スロットルボデー全体の全高をコンパクトにまとめることができて、特に二輪車の如き収納空間が制限を受けるものにおいて好ましい。
【００１１】
更に本発明の第３の特徴によると、圧力ポートを備える圧力ケースが隣設するスロットルボデーの対向側面に一体形成され、圧力ケースの上方開口部にセンサハウジングの下方開口部が嵌合配置されて、スロットルボデーに一体的に圧力センサが取着される。以上によると、圧力ケースの金型がスロットルボデーの金型とが共用できて製造コストを低減できるとともに圧力ポートが隣設するスロットルボデー間に形成される保護ケースによって保護される。又、圧力センサが隣設するスロットルボデー間に配置されるので、スロットルボデーの全幅を小さくまとめることができる。
又、保護ケースは隣設するスロットルボデーを連結する為の連結部材の機能を備えるもので、両スロットルボデーを捻れなく正確に連結できる。
【００１２】
更に又、本発明の第４の特徴によると、圧力ポートの下端開口を保護ケースの下端より上方位置に開口したので、圧力ポートへの水、異物の侵入を効果的に抑止でき、特に二輪車への搭載時において安定して正確な大気圧の検出を行なうことができる。
【発明を実施するための最良の形態】
【００１３】
以下、本発明になる圧力センサを備えるスロットルボデーの一実施例を図１により説明する。
１は内部を吸気通路２が貫通して穿設されたスロットルボデーであり、吸気通路２は図示されない絞り弁によって開閉制御される。
３はスロットルボデー１の左側壁１ａに一体的に形成された圧力ケースであり、圧力ケース３は上方開口部３ａをして上方に向けて有底カップ状に開口して形成されるとともにその中心底部には圧力ポート４が下方に向けて開口する。
又、前記圧力ポート４の外周には圧力ポート４を囲繞するポート保護ケース５がスロットルボデー１と一体的に形成されるもので、ポート保護ケース５の一部はスロットルボデー１の左側壁１ａが形成する。
【００１４】
６は、内部にセンサチップ７が収納配置されるとともに下方に向かって下方開口部６ａが開口するセンサハウジングであり、センサチップ７は、センサハウジング６内にアウトモールドされたターミナル８に電気接続され、更にターミナル８は左側方に開口するカプラ６ｂ内に突出配置される。
【００１５】
そして、圧力ケース３の上方開口部３ａに向けて、センサハウジング６の下方開口部６ａがＯリングＲを介して嵌合配置され、この状態においてセンサハウジング６上に押圧板９が配置されるとともに押圧板９の一端がネジ１０によってスロットルボデー１に螺着される。
以上によると圧力ケース３とセンサハウジング６とは一体的に嵌合配置され、センサハウジング６と圧力ケース３とによって形成される密閉空間Ｓ内にセンサチップ７が臨んで配置され、更に密閉空間Ｓ内に圧力ポート４が開口する。
【００１６】
以上によると、圧力は圧力ポート４から密閉空間Ｓ内に作用してセンサチップ７の表面に加わるもので、センサチップ７の表面にあるダイヤフラムがたわみ、固定電極との間の間隔が変化し、この間隔の変化による静電容量の変化によって大気圧力値に応じた電気信号がターミナル８より外部に向けて出力される。
【００１７】
以上述べた本発明の圧力センサを備えるスロットルボデーによると、圧力ケース３がスロットルボデー１と一体的に形成されるので圧力ケースを作る為の金型が不要となったものでスロットルボデーと圧力ケースの金型を共通とすることができたことにより、金型費を低減でき、製造コストを低減できる。そしてスロットルボデー１は通常アルミダイカスト合金によって成型されるもので、これによって圧力ケースの剛性を高めることができ、センサハウジングを組付けた際においてセンサハウジング６の歪みによるセンサチップ７の歪みを抑止でき、正確な圧力検出を行なうことができる。
又、センサハウジング６はスロットルボデー１に一体形成された圧力ケース３に向けてセンサハウジング６を組つければよいので、圧力センサＰの組付け性を向上できる。
又、圧力ポート４には、その外周を囲繞してポート保護ケース５が形成され、且つこのポート保護ケース５がスロットルボデー１と一体的に形成されるので、圧力ポート４の下方開口端に水が侵入することを抑止でき、侵入する水の表面張力によって圧力ポート４が閉塞され、大気圧の正確な計測が阻害されることがない。
更に又ポート保護ケース５によれば、障害物が圧力ポート４に衝突して圧力ポート４が破損することがないもので、前記水の侵入、障害物の衝突を抑止できたことは、特にスロットルボデー１が直接的に大気に露出して配置される二輪車、バギー車において好ましい。
【００１８】
再び図１に戻って説明すると、圧力ケース３の上方開口部３ａの上端３ａ１をスロットルボデー１の上流壁１ｂより下方位置に開口配置すると、センサハウジング６の位置を低く配置することができ、圧力センサＰを備えるスロットルボデー１の全高Ｈを小さくすることができるもので、これによると特に二輪車の如き、スロットルボデーの収納空間が限定されるものにおいて好ましい。
【００１９】
次に図２により本発明の圧力センサを備えるスロットルボデーの第２の実施例について説明する。
尚、図１と同一構造部分は同一符号を使用して説明を省略する。
スロットルボデーは隣設する第１のスロットルボデー１１ａと第２のスロットルボデー１１ｂとよりなり、第１のスロットルボデー１１ａには第１の吸気通路１２ａが貫通して穿設され、第2のスロットルボデー１１ｂには第２の吸気通路１２ｂが貫通して穿設される。圧力ケース１３は、第１のスロットルボデー１１ａと第２のスロットルボデー１１ｂの対向側面１１ｃ、１１ｄとの間に配置され、それらのスロットルボデー１１ａ、１１ｂに一体形成される。
圧力ケース１３は上方開口部１３ａをして上方に向けて有底カップ状に開口して形成されるとともにその中心底部には圧力ポート１４が下方に向けて開口する。
又、前記圧力ポート１４の外周には圧力ポート１４を囲繞するポート保護ケース１５がスロットルボデーと一体的に形成されるもので、ポート保護ケース１５の一部は第１のスロットルボデー１１ａの対向側面１１ｃによって形成され、ポート保護ケース１５の他部は第２のスロットルボデー１１ｂの対向側面１１ｄによって形成される。
【００２０】
６は、内部にセンサチップ７が収納配置されるとともに下方に向かって下方開口部６ａが開口するセンサハウジングであり、センサチップ７は、センサハウジング６内にアウトモールドされたターミナル８に電気接続され、更にターミナル８は左側方に開口するカプラ６ｂ内に突出配置される。
【００２１】
そして、圧力ケース１３の上方開口部１３ａに向けて、センサハウジング６の下方開口部６ａがＯリングＲを介して嵌合配置され、この状態においてセンサハウジング６上に押圧板９が配置されるとともに押圧板９の一端がネジ１０によってスロットルボデー１１ａに螺着される。
以上によると圧力ケース１３とセンサハウジング６とは一体的に嵌合配置され、センサハウジング６と圧力ケース１３とによって形成される密閉空間Ｓ内にセンサチップ７が臨んで配置され、更に密閉空間Ｓ内に圧力ポート１４が開口する。
【００２２】
以上よりなる本発明の第２の圧力センサを備えるスロットルボデーによると、前記第１の実施例の作用効果に加え、圧力ケース１３とセンサハウジング６とによって形成される圧力センサＰが隣設する第１のスロットルボデー１１ａと第２のスロットルボデー１１ｂとの対向側面間に配置されるので、圧力センサを備えるスロットルボデーの全幅Ｗを小さく抑さえることができる。
又、圧力ケース１３に形成される圧力ポート１４は、ポート保護ケース５に囲繞されるとともに更にその外側方に第１のスロットルボデー１１ａと第２のスロットルボデー１１ｂとが配置されるので、圧力ポート１４に対する水の侵入及び障害物の衝突を更に抑止できる。
【００２３】
更に又、前記第１、第２の実施例において圧力ポート１４の下端開口１４ａをポート保護ケース５の下端５ａより上方位置に開口配置すると、（いいかえると下端開口１４ａをポート保護ケース５内に没入して開口させる）水及び異物が圧力ポート１４内へ侵入することを更に抑止でき、より一層安定した正確な圧力の検出を行なうことができる。
更に前記ポート保護ケース１５は隣設するスロットルボデー１１ａ、１１ｂを連結する為の連結部材の役目をなすものでより強固に両スロットルボデー１１ａ、１１ｂを連結できる。
更には圧力センサＰが両スロットルボデー間に配置されることは、圧力センサＰがスロットルボデーの外側に直接的に露出しないので、特に二輪車への搭載時において外観上好ましい。
【図面の簡単な説明】
【００２４】
【図１】本発明の圧力センサを備えるスロットルボデーの第１の実施例を示す縦断面図。
【図２】本発明の圧力センサを備えるスロットルボデーの第２の実施例を示す縦断面図。
【符号の説明】
【００２５】
１，１１ａ，１１ｂ      スロットルボデー
３      圧力ケース
３ａ    上方開口部
４      圧力ポート
５      ポート保護ケース
６      センサハウジング
６ａ    下方開口部
Ｐ      圧力センサ
【図１】
2006112946.tif 000003
【図２】
2006112946.tif 000004